(57)【要約】 【課題】  本発明は、食品等を収納すべき袋体に対して、手で触れることを極力少なくして収納すべき物を収納できる袋体の提供を課題とするとともに、袋詰めの手間を極力低減して効率的な袋詰め作業のできる袋体の提供を課題とする【解決手段】表面シートと裏面シートとからなる底部を有する袋体であって、表裏面シートの側辺部で融着している袋体であり、側辺部の融着は少なくとも袋体の下部であり、袋体上部の両側部分は融着していないものであって、表面シートの両側部分が融着していない上部は、袋体の表面方向に山折りに折り込んだ折り返し部を有する袋体である。【選択図】    図１
2019043572.tif 000002
【特許請求の範囲】
【請求項１】
表面シート２と裏面シート３とからなる底部を有する袋体１であって
表裏面シート２、３の側辺部４で融着している袋体１であり、
側辺部４の融着は少なくとも袋体１の下部であり、
袋体１上部の両側部分は融着していないものであって、
表面シート２の両側部分が融着していない上部は、袋体の表面方向に山折りに折り込んだ折り返し部２０を有することを特徴とする袋体。
【請求項２】
表裏面シート２、３の側辺部４で融着に代えて、表裏面シート２、３の側辺部を溶着又は接着したことを特徴とする請求項１記載の袋体。
【請求項３】
裏面シート３の上部に延長シート３０を有し、
該延長シート３０は裏面シート３の表側に融着していることを特徴とする請求項１又は２のいずれかに記載の袋体。
【請求項４】
該延長シート３０の裏面シート３の表側への融着に代えて、該延長シート３０の裏面シート３の表側へ溶着又は接着したことを特徴とする請求項３記載の袋体。
【請求項５】
裏面シート３の裏側に更に補強シートを有することを特徴とする請求項１又は２のいずれかに記載の袋体。
【発明の詳細な説明】
【技術分野】
【０００１】
本発明は、袋体の構造であって、袋体の開口部を広く開口できると共に収納する収納物を袋体の奥に収納できる構造を有する袋体である。
【背景技術】
【０００２】
一般的に多用されている袋体は、底部と側辺部とを融着して封鎖状態であるが、開口部を有して該開口部から収納すべき物を封鎖している袋体内に収納することができるものである。
従って、この開口部から収納すべき物を入れることが必要であって、収納しやすくするためには開口部の開口をひろく取れる幅の広い袋体が用いられるものである。
更に例えば開口部の開口を維持する構造としては特開平１０‐２０３５４１号（特許文献１）に示す構成がある。
【０００３】
これは開口部の開口を維持できる構成である。
又、底部と側部とに折り込み部分を形成して袋体の内容量を大きく取れるように構成した先行例として特開２００３−３００５３５号（特許文献２）の四角底袋の袋体の構成も存在する。
特にシート状の表裏面を有する袋体にあっては、収納すべき物の収納を容易にし、更にその取り出しを容易にするには幅広の胴体が必要となり、特許文献２に示すように底部と側辺部に折り返し部分を構成して幅広の袋体に形成することが最も有効な一手段となる。
【先行技術文献】
【特許文献】
【０００４】
【特許文献１】特開平１０‐２０３５４１号
【特許文献２】特開２００３−３００５３５号
【発明の概要】
【発明が解決しようとする課題】
【０００５】
以上の様に、袋体内に収納すべき物を収納する場合にその収納のしやすさを考慮すると袋体の開口部をひろく取ることが必要となる。
このためには袋体の筒状の胴部を幅広にして開口部を広く取ることが最も取りやすい構造となる。
しかし、反面これでも袋体の開口部はその幅の範囲となってしまい、収納時にその制限からどうしても収納しにくいものとなる。
【０００６】
特に収納時に袋体の開口部に入れることを考えるとどうしても収納すべき物を手でしっかりとつかむことが必要となり、特に開口部に比して収納すべき物の大きさが同程度となる場合等においてはどうしても手で持った段階で収納物を強く握ってしまう等のことが必要となる。
特に食品等においては力を入れてしまうことは食品を傷つけるばかりでなく品質の低下を招きかねない。
【０００７】
更に手で触ることが前提となってしまうことから、手袋等を用いて行うことがどうしても避けられなくなる。
この場合であっても食品に触れることから傷を付ける場合や品質の低下等を起こすことは避けられない。
更にこの様な状態では慎重に作業することが必要となってしまい、食品等の袋詰め作業に手間がかかりすぎてしまうものとなる。
そこで食品等を収納すべき袋体に対して、手で触れることを極力少なくすると共に簡単に袋体内に収納できる袋体の提供が望まれることとなる。
【課題を解決するための手段】
【０００８】
係る課題を解決するため請求項１に係る発明を提供するものである。
まず、請求項１に係る発明は、表面シートと裏面シートとからなる底部を有する袋体であって、表裏面シートの側辺部で融着している袋体であり、側辺部の融着は少なくとも袋体の下部であり、袋体上部の両側部分は融着していないものであって、表面シートの両側部分が融着していない上部は、袋体の表面方向に山折りに折り込んだ折り返し部を有する袋体であり、係る発明によって解決できる。
【０００９】
更に請求項２に係る発明は表裏面シートの側辺部で融着に代えて、表裏面シートの側辺部を溶着又は接着した袋体であって係る発明を用いてもよい。
更に、請求項３に係る発明のように裏面シートの上部に延長シートを有し、該延長シートは裏面シートの表側に融着している袋体でもよい。
【００１０】
或いは、請求項４に係る発明のように該延長シートの裏面シートの表側への融着に代えて、該延長シートの裏面シートの表側へ溶着又は接着した袋体でもよい。
この他、請求項５に係る発明のように裏面シートの裏側に更に補強シートを有する袋体を用いてもよい。
【発明の効果】
【００１１】
以上のように構成したことから、まず、請求項１に係る発明によって表面シートと裏面シート間に袋体の開口部を位置できると共に袋体上に袋体内に入れるべき物を置くことによって表面シートの折り返し部と裏面シートとをつかんで袋体を持ち上げると袋体内に入れるべき物がその自重によって簡単に袋体内に入れることのできる袋体を提供できる。
【００１２】
このことは袋体を持ち上げると袋体上に載置した物を袋体内に入れることのできる袋体を提供できるものとなる。
これによって袋体への袋詰め作業の効率化を図ることができ、簡単に袋詰め作業を行えるものとなる。
更に袋体の表面シートの折り返し部と裏面シートとをつかんで袋体を持ち上げることにより袋体内に入れるべき物を袋体内に入れることが簡単にできるものであり、該物に極力手を触れる機会を少なくすることができる。
従って衛生的でかつ安全に取り扱うことができることとなり、例えば生鮮品等を衛生的に袋詰めできるものである。
【００１３】
次に請求項２に係る発明によって袋体の側辺部に関しては融着により密着状態で構成するものに限らず、溶着でも或いは接着でもよく、袋体の側辺部を形成するものであればよい。
特に、水分を含む生鮮品等の水分を外部に漏れないようにするためには密封状態となる融着が最適であるが、溶着を用いても或いは接着を用いても水分の不用意な水分の漏れは防げることから係る構成をとってもよい。
【００１４】
又、袋体の製袋の方法を多様化できるものである。
更に請求項３に係る発明によって裏面シートに延長シートを延在できるものとなり、袋体内に収納すべき物を入れる際により持ちやすい袋体を形成できるものであって、袋詰め作業の効率化が図れるものとなる。
特に延長シートを裏面シートの表側に融着するものであることから裏面シートよりも袋体の内部方向に延長シートが位置することとなる。
このことは袋体上に収納すべき物を置いた場合には袋体を持ち上げた際に当該物をより袋体底部方向に入り込み易くすることができる。
【００１５】
従って、袋詰め作業の効率化をより高く維持できるものとなる。
次に請求項４に係る発明によって、この延長シートの形成に際して各種の製袋方法をとることができ、製袋の効率化や多様性を得られるものである。
【００１６】
更に請求項５に係る発明によって補強シートを裏面シートの裏側に有することができ、袋詰めに際して袋を持ち上げる際の裏面シートの強度をより高められる。
従って例えば袋体上に収納すべき物を乗せた状態で袋体を持ち上げて袋体内に該物を入れる際に、裏面シートが該物の重さで不用意に撓んでしまうことを防止でき、袋体内に該物の自重で裏面シート等に沿って袋体内部に入り込むに際してより入り易くすることができる。
以上のように極めて使い勝手がよいものとなる以上に、袋詰め効率を高く維持した上で衛生的な袋体の提供を可能とするものである。
【図面の簡単な説明】
【００１７】
【図１】本発明に係る袋体の一例を示す図
【図２】図１に示す本発明に係る袋体の一例のＡ−Ａ線端面図
【図３】図１に示す本発明に係る袋体を手に持った状態の一例を示す図
【図４】図１に示す本発明に係る袋体に収納すべき物を載置した状態の一例を示す図
【図５】図４に示す本発明に係る袋体を手に持った状態の一例を示す図
【図６】本発明に係る袋体の他の一例を示す図
【発明を実施するための形態】
【００１８】
図１に示す袋体１は収納すべき収納物の収納に際して袋体１の開口部を広くすることができると共に袋体１内部に収納物を収納し易くできる袋体の一例を示す図である。
先ず、該袋体１は底部を角底体としており、内容物を収納した場合に袋体１の底部が広くなり多くの収納物を収納できる袋体である。
係る袋体１は表裏面よりなり、袋体１の中央部分迄の下部方向は両側部が融着して側辺部４を形成しており、袋体の開口部近傍の上部方向の両側部分は融着しておらず、それぞれの開口部として構成されるものである。
【００１９】
この袋体の表面シート２は、その上部を山折りに折り込んで折り返した折り返し部２０は袋体１の表面方向に折り込まれている。
更に本図構成では表面シート２のこの山折りの折り返し部２０迄表裏面を構成する各々の表面シート２と裏面シート３とがその側辺部４迄融着するものとなっている。
また裏面シート３は、該シートに更に延長シート３０が融着しており、裏面シート３の上部は延長シート３０によって延在されているものである。
【００２０】
これにより表面シート２の折り返し部２０の山折り部分を伸ばした場合であっても裏面シート３と延長シート３０の方がより長いシートとなる。
更にこの延長シート３０は裏面シート３のシート地の表側即ち袋体の内部面の表側で融着しており、この延長シート３０の先端部分をつまんだ場合には袋体１の内部方向に向かって折り曲げられるものとなる。
即ち袋体１の内部に延長シート３０が融着していることからこの延長シート３０を持つと袋体１の内側方向に傾斜するものとなる。
【００２１】
尚、延長シート３０の延長した端部方向には粘着部３１を有しており、剥離紙５で粘着部３１を覆っている。
この様に構成する袋体１には該表面シート２の山折りの折り返し部２０をつかむことができる。
この折り返し部２０を片手で持ち、他方の手で延長シート３０を持つとこの間には袋体１の開口部が位置するものとなる。
従って袋体１の開口部を構成する表面シート２と裏面シート３を簡単に持つことができ、この両者間に生ずる袋体１の開口部から袋体１内部に収納すべき物を入れやすくすることができる。
【００２２】
図２は、図１に示す袋体のＡ−Ａ線端面図である。
本袋体は表面シート２と裏面シート３とからなり、両シート２、３は側辺部４で融着しているが該シートの上部方向の先端部分の両側部分は離れており融着していない。
これに対して下部方向の表裏面シート２、３は側辺部４で融着しており、袋体１の側面を構成している。
表面シート２は山折りの折り返しがなされて折り返し部２０を形成しており、その先端は袋体１の表面方向に折れ曲がっている。
【００２３】
更に裏面シート３の上部の先端方向には更に延長シート３０が融着しているが、特にこの融着は裏面シート３の表側即ち袋体内部方向の面で融着している。
又、延長シート３０の端部方向には粘着部３１を有し、更に剥離紙５が貼着している。
袋体１内に収納すべき物を収納した後にこの剥離紙５を剥がして粘着部３１を表出させた上で袋体１の開口部を封鎖するためのものである。
【００２４】
図３は、本発明に係る袋体１の表面シート２の折り返し部２０と裏面シート３の延長シート３０のそれぞれ端部を両手でつかんだ状態の一例を示す。
この様に両手でそれぞれの端部をつかんで袋体１を広げる方向に若干開くことにより簡単に袋体の開口部が広く開口することとなる。
この様に構成することにより簡単に袋体１内に収納すべき物を容易に収納できる。
【００２５】
特に裏面シート３に融着した延長シート３０は、裏面シート３の表側であって袋体内部方向で融着していることから延長シート３０を持つことによりこの延長シート３０上に収納物を乗せた場合に袋体１内に収納し易い傾斜面を形成できる。
以上のように本発明に示す袋体１は極めて持ち易い袋体１を構成するばかりでなく収納すべき物を容易に袋体１内に入れられるものである。
【００２６】
図４は、本発明に係る袋体上に収納すべき収納物Ｐを袋体１の延長シート３０上においた状態の一例を示す。
収納物Ｐを袋体１内に収納する際に収納し易い手順の一例である。
収納すべき物Ｐを殊更手でもった状態で入れることも可能ではあるが、例えば袋体１の任意個所に収納すべき物Ｐを置いておき、両手で袋体１の表裏面シート２、３のそれぞれの端部をつかんで持ち上げれば簡単に袋体１内に収納すべき物Ｐをいれることができる。
【００２７】
この場合特に袋体１の開口部の近傍の裏面シート３上に収納すべき物Ｐを載置しておけば単に袋体１の両端をつかんで持ち上げることによって、表面シート２と裏面シート３との間に形成されている開口から収納すべき物Ｐを袋体１内に落とし込むことができる。
従って、本図状態から次に示す図５に示す構成に進むことにより袋体１内に収納すべき物Ｐを入れることができるものである。
【００２８】
図５は、図４の状態から袋体１の表面シート２の折り返し部２０と裏面シート３の延長シート３０をそれぞれの手でもった状態で袋体１を持ち上げている際の状態の一例を示す図である。
本図に示すように収納すべき物Ｐが表裏面のシート２、３の間から袋体１内部に簡単に入り込むことのできる状態の一例である。
【００２９】
即ち表面シート２の折り返し部２０を手に持ち、裏面のシート３の延長シート３０を手に持つことにより袋体１の開口部が開口状態となる。
更に延長シート３０を手に持つことによりこの延長シート３０が袋体１内部方向に傾斜し、袋体１上においた収納すべき物Ｐを簡単に袋体１の内部に送りこみやすくできる。
特に袋体１の表裏面のシート２、３を持って袋体１を持ち上げると収納すべき物Ｐの自重によって簡単に袋体１内に収納できるものである。
【００３０】
この様に構成すると例えば袋体１内に収納すべき物Ｐを収納するに際して、本発明に係る袋体１上におくことにより手を触れずに簡単に袋体１内に収納物Ｐを送りこむことができる。
例えば皿上に生鮮品を載せて、袋体１上に載置し、袋体１の表面シート２の折り返し部２０と裏面シート３の延長シート３０をもって袋体を持ち上げると簡単に該皿と共に袋体１内に収納すべき物を入れることができる。
【００３１】
もとより皿に載せた生鮮品について、皿以外の生鮮品のみを袋体１上に乗せることによって、簡単に生鮮品のみを袋体１内に入れることができる。
この様にすると一切生鮮品に手を触れることなく、簡単に袋体１内に収納すべき物Ｐを収納できるものとなる。
或いは、秤上に本発明に係る袋体１をおき、その袋体１の上に手袋等を用いて肉等を載せて重量を図り、そのまま袋体１を持ち上げることにより肉等を簡単に入れて封入できるものである。
【００３２】
従って肉の重量を利用して簡単に袋体内に封入できるものである。
更にこの様にすれば肉等に手を触れる機会を極力少なくできるものである。
従って極めて衛生的に袋詰め作業が行える。
更にこの様に袋体１上に収納すべき物Ｐを置くことによって簡単にかつ短時間に袋体１内に封入することができることから袋詰め作業の効率化が図れるものである。
【００３３】
以上のように生鮮品等の袋体等への封入を衛生的かつ効率的に行えるものである。
尚、本図には剥離紙５と粘着部３１とを有するものとして明示しているが、この様な形態ではなく別途の封鎖手段、封入手段を有するものであってもよく、他の封鎖具を用いるものであっても、或いはこのまま丸めて別の包装手段で包装するもの等であってもよい。
【００３４】
図６は、延長シート３０を有さずに裏面シート３を若干長く形成した一例を示す図である。
少なくとも、表面シート２と裏面シート３の下部方向においてはその両側部で融着した側辺部４を有するが、表面シート２の上部方向は融着しておらず表面シート２の表側に山折りに折り込んで折り返し部２０を有している。
【００３５】
この様な袋体１に関してその中央部分である表面シートの山折りの折り返し部２０よりも裏面シート３の上部方向の裏面シート上に収納すべき物Ｐを載置し、表面シート２の折り返し部２０と裏面シート３の先端とをそれぞれつかんで持ち上げることにより簡単に袋体内に収納すべき物Ｐを送りこむことができる。
従ってこの様な構成でもよい。
【００３６】
尚、本袋体１は角底体としているがこれに限らず任意の底部構成を有する袋体１であってもよい。
又、表面シート２と裏面シート３との長さを同一又はほぼ同様の長さとするものであってももちろんよい。
この構成であっても十分に袋体１の表裏面シート２、３の両端をつまんで持ち上げることにより袋体１内に収納すべき物Ｐを入れることができる。
【００３７】
又、本構成は両側部分を熱融着による側辺部４を形成した状態を明示しているが、これに限らず熱溶断によって構成したものでも超音波シール等による融着や溶着した構成や各種シール工程で袋体を形成したものであってもよい。
或いは接着剤等を用いて接着によって袋体を構成したものであってもよい。
更に本袋体は表裏シート２、３を明示して構成しているが、これらは熱可塑性シートの他、各種樹脂シートを用いたものであっても、或いは紙素材により構成されたシート等を用いるものであってもよい。
【００３８】
尚、フィルムに関しては当然にシートに含まれるものである。
更に本図構成の他、裏面シート３に関しては裏面シート３の裏側に更に補強シートを有しているものでもよい。
例えば表裏シート２、３の両側辺部で融着している下部から更に裏面シートの上部方向にかけて補強シートを有するものであってもよい。
或いは、補強シートを裏面シート３に重ね有するものであってもよい。
【００３９】
少なくとも収納すべき物Ｐを載置する際の袋体１の開口部の位置前後から、裏面シート３の上部方向にかけて有することが望ましい。
これにより裏面シート３の袋体１の開口部近傍の裏面シート３の強度を高め、袋体１内への収納物Ｐの送りこみの角度即ち裏面シート３を手で持った際のシートにより形成される傾斜角度を一定に保つことができる。
【００４０】
例えば収納すべき物Ｐによってはこの部分が撓んでしまうと入れにくくなるが、この裏面シート３の強度を高めることにより袋体１の収納部分の内部である奥方向に収納物を送りこみ易くできる。
従って袋体１を手で持った際に収納すべき物Ｐがその自重によって簡単に袋体１内に落とし込むことをより容易に行うことができるようになるものである。
【符号の説明】
【００４１】
１    袋体
２    表面シート
２０  折り返し部
３    裏面シート
３０  延長シート
３１  粘着部
４    側辺部
５    剥離紙
Ｐ    物
【図１】
2019043572.tif 000003
【図２】
2019043572.tif 000004
【図３】
2019043572.tif 000005
【図４】
2019043572.tif 000006
【図５】
2019043572.tif 000007
【図６】
2019043572.tif 000008